(57)【要約】【課題】複数の撮像手段を有すカメラにおいて複数のレリーズボタンを設けずに撮影者が意図する画像を的確に撮影することができる撮像装置を提供すること。【解決手段】第一の被写体を撮影する第一の撮像手段（１３）と、第二の被写体を撮影する第二の撮像手段（１５）を備える撮像装置において、前記撮像装置は半押し操作と全押し操作することができる操作ボタン（１１）を有しており、前記操作ボタン（１１）の半押し操作及び全押し操作により前記第一の撮像手段（１３）と前記第二撮像手段（１５）の撮影動作を制御することを特徴とする。【選択図】図１
2017028471.tif 000002
【特許請求の範囲】
【請求項１】
第一の被写体を撮影する第一の撮像手段（１３）と
第二の被写体を撮影する第二の撮像手段（１５）を備える撮像装置において
前記撮像装置は半押し操作と全押し操作することができる操作ボタン（１１）を有しており
前記操作ボタン（１１）の半押し操作及び全押し操作により
前記第一の撮像手段（１３）と前記第二撮像手段（１５）の撮影動作を
制御することを特徴とする撮像装置。
【請求項２】
前記第一の撮像手段（１３）が静止画撮影モードであり
前記第二の撮像手段（１５）が動画撮影モードの場合において
前記操作ボタン（１１）の半押し操作により
前記第二の撮像手段（１５）により動画撮影が開始され
前記操作ボタン（１１）の全押し操作により
前記第一の撮像手段（１３）により静止画像が撮影されることを
特徴とする請求項１に記載の撮像装置。
【請求項３】
前記第一の撮像手段（１３）が動画撮影モードであり
前記第二の撮像手段（１５）が静止画撮影モードの場合において
前記第一の撮像手段（１３）により動画撮影中の前記操作ボタン（１１）の半押し操作により
前記第二の撮像手段（１５）により静止画像が撮影されることを
特徴とする請求項１に記載の撮像装置。
【請求項４】
前記第一の撮像手段（１３）と前記第二の撮像手段（１５）の撮影モードが同一の場合
前記操作ボタン（１１）の全押し操作により
前記第一の撮像手段（１３）と前記第二の撮像手段（１５）により
同時に静止画撮影もしくは動画撮影が行われることを
特徴とする請求項１に記載の撮像装置。
【発明の詳細な説明】
【技術分野】
【０００１】
本発明は、デジタルカメラ等の撮像装置に関するものである。詳しくは、アウトカメラとインカメラを備える撮像装置のアウトカメラとインカメラの操作方法に関する。
【背景技術】
【０００２】
従来、撮像装置は撮影者が被写体に向けて操作し、被写体を撮影し、被写体の撮影データを作成する装置であった。しかしながら、近年では被写体の画像だけではなく撮影者の様子も同時に撮影し記録することができるインカメラを備えた撮像装置が提案されている。従来のアウトカメラに加えインカメラを備えたカメラでは、被写体・撮影者それぞれの画像を記録する為にアウトカメラ・インカメラそれぞれのシャッターを別々に操作する必要があり、従来のアウトカメラのシャッターを操作するレリーズボタンに加え新たにインカメラを操作するレリーズボタンを設け別々に操作することが考えられる。
【０００３】
しかしながら、インカメラを操作するためにレリーズボタンを新たに設けるとコストアップになるばかりか撮影者が別々にレリーズボタンを操作しないといけないため操作が複雑になってしまう。
【０００４】
そこで、特許文献１に示すように被写体または撮影者の表情を検出して画像を撮影し記録する方法が提案されている。
【先行技術文献】
【特許文献】
【０００５】
【特許文献１】特開２０１１−５５２５１号公報
【発明の概要】
【発明が解決しようとする課題】
【０００６】
しかしながら、上述の特許文献１に開示された従来技術では、被写体または撮影者の表情に変化が発生した時に画像を撮影して記録する。そのため、表情の変化がある閾値を超えないと画像を撮影し記録しないため、被写体または撮影者の表情に変化はないが撮影したいと思っている場面を的確に撮影することができない。
【０００７】
そこで、本発明の目的は、インカメラ用のレリーズボタンを新たに設けることなく撮影者が意図する瞬間に画像を的確に撮影することができる撮像装置を提供することにある。
【課題を解決するための手段】
【０００８】
上記の目的を達成するために、本発明に係る撮像装置は、
第一の被写体を撮影する第一の撮像手段（１３）と第二の被写体を撮影する第二の撮像手段（１５）を備える撮像装置において前記撮像装置は半押し操作と全押し操作することができる操作ボタン（１１）を有しており、
前記操作ボタン（１１）の半押し操作及び全押し操作により前記第一の撮像手段（１３）と前記第二の撮像手段（１５）の撮影動作を制御することを特徴とする。
【発明の効果】
【０００９】
本発明に係る撮像装置によれば、撮影者が意図する瞬間に画像を的確に記録することができる。
【図面の簡単な説明】
【００１０】
【図１】デジタルカメラの全体図
【図２】デジタルカメラの構成図
【図３（ａ）】デジタルカメラの操作方法を説明するフローチャート
【図３（ｂ）】デジタルカメラの操作方法を説明するフローチャート
【図３（ｃ）】デジタルカメラの操作方法を説明するフローチャート
【図３（ｄ）】デジタルカメラの操作方法を説明するフローチャート
【図４】表示部に表示された画像を説明する図
【発明を実施するための形態】
【００１１】
以下に、本発明の好ましい実施の形態を、添付の図面に基づいて詳細に説明する。
【実施例１】
【００１２】
以下、図１乃至図４を参照して、本発明の実施例について説明する。ここでは、撮像装置の例としてデジタルカメラについて説明する。
【００１３】
図１はデジタルカメラの全体図である。図１（ａ）はデジタルカメラを前方から見た時の斜視図、図１（ｂ）はデジタルカメラを後方から見た時の斜視図である。
【００１４】
１はデジタルカメラである。１０は電源ボタンであり電源ボタン１０を操作することによって電源をＯＮ／ＯＦＦすることができる。１３は前方撮像部であり、１５は後方撮像部である。前方撮像部１３は撮影者が意図する被写体を撮影する撮像部であり、後方撮像部１５は撮影者を撮影する撮像部である。
【００１５】
前方撮像部１３はデジタルカメラ１の電源ＯＦＦ時においては鏡筒１４がデジタルカメラ１内に格納されており、デジタルカメラ１の電源ＯＮ時においては不図示の駆動手段によって鏡筒１４が繰り出され突出した状態（図１（ａ）の状態）となり、撮影可能状態となる。１１はレリーズボタンであり、レリーズボタン１１は浅く押した半押しと、さらに押し込んだ全押しの２段操作のものとなっている。レリーズボタン１１の半押し操作、全押し操作に応じて前方撮像部１３及び後方撮像部１５を操作することができる。詳しくは後ほど説明する。
【００１６】
１２はズームレバーであり、ズームレバー１２は撮影可能状態において鏡筒１４の望遠、広角を操作することができる。１７は操作ボタンであり、操作ボタン１７によって前方撮像部１３及び後方撮像部１５の静止画撮影・動画撮影の撮影モード選択、デジタルカメラ１の各種設定をすることができる。１６は表示部であり撮影可能状態では、撮影範囲の被写体を連続的に表示する。また表示部１６にはデジタルカメラ１の各種設定情報の表示や記録された画像を再生し確認することができる。
【００１７】
図２はデジタルカメラ１の構成図である。前方撮像部１３、後方撮像部１５にはそれぞれ第一のＡＦユニット２２、第二のＡＦユニット２３が備えられている。第一のＡＦユニット２２、第二のＡＦユニット２３はレリーズボタン１１の半押し操作または全押し操作に応じて不図示の駆動装置によって駆動され、各被写体のピントを合わせる機能を備えている。
【００１８】
前方撮像部１３、後方撮像部１５によって撮影される前の各画像データはライブ映像として表示部１６に表示される構成となっている。前方撮像部１３、後方撮像部１５で取得された画像データは、画像処理部２４に送られホワイトバランス、明るさ調整、ノイズ除去及び画像圧縮などの各種処理を施される。
【００１９】
メモリ部２１はフラッシュメモリなどの半導体メモリ、ハードディスクまたは光ディスクで構成されており、画像処理部２４で処理された画像データはメモリ部２１に送られ記録される。
【００２０】
図３はデジタルカメラ１の操作方法を説明するフローチャートである。図３（ａ）は前方撮像部１３が静止画撮影モード、後方撮像部１５が動画撮影モードの時の操作方法を説明するフローチャートである。図３（ｂ）は前方撮像部１３が動画撮影モード、後方撮像部１５が静止画撮影モードの時の操作方法を説明するフローチャートである。図３（ｃ）は前方撮像部１３、後方撮像部１５が共に静止画撮影モードの時の操作方法を説明するフローチャートである。図３（ｄ）は前方撮像部１３、後方撮像部１５が共に動画撮影モードの時の操作方法を説明するフローチャートである。
【００２１】
図４は表示部１６に表示された画像を説明する図である。図４（ａ）は被写体と撮影者に対してオートフォーカスが実行されたときの図であり４１は第一のＡＦユニット２２によるしてフォーカス枠であり、４２は第二のＡＦユニットによるフォーカス枠である。本実施例におけるデジタルカメラ１は被写体または撮影者の顔を検知して第一のＡＦユニット２２、第二のＡＦユニット２３によりオートフォーカスが実行できる。図４（ｂ）は第一のＡＦユニット２２により被写体にオートフォーカスが実行されたときの図、図４（ｃ）は第二ＡＦユニット２３により撮影者にオートフォーカスが実行されたときの図である。
【００２２】
図３（ａ）、図４（ａ）を参照して前方撮像部１３に静止画モード、後方撮像部１５に動画モードが選択された場合の撮影方法を説明する。
【００２３】
図３（ａ）に示すように電源ボタン１０によりデジタルカメラ１の電源を入れた（Ｓ１００）後、Ｓ１０１のフローに移行する。Ｓ１０１では前方撮像部１３と後方撮像部１５のそれぞれの撮影モードを判断する。Ｓ１０１において、前方撮像部１３が静止画モード、後方撮像部１５が動画モードの場合はＳ１０３のフローに移行し、それ以外の撮影モードの場合は別処理に移行する（Ｓ１０２）。
【００２４】
Ｓ１０３では撮影者が表示部１６に写った画像データを確認して構図を決定し、レリーズボタン１１を半押しすると、前方撮像部１３に備えられた第一のＡＦユニット２２により図４（ａ）に示すように被写体の顔に対してオートフォーカスが実行され、同時に後方撮像部１５に備えられた第二のＡＦユニット２３により撮影者の顔に対してオートフォーカスが実行され（Ｓ１０４）、後方撮像部１５により撮影者の動画撮影が開始される（Ｓ１０５）。
【００２５】
次にＳ１０６のフローに移行する。Ｓ１０６ではレリーズボタン１１の全押し操作が行われた否かを判断する。Ｓ１０６においてレリーズボタン１１の全押し操作が行われず規定時間経過した場合（Ｓ１０８）は後方撮像部１５による動画撮影が終了される（Ｓ１０９）。Ｓ１０６において撮影者はＳ１０３でレリーズボタン１１を半押しした後にそのままレリーズボタン１１の半押しを維持したままでレリーズボタン１１を全押ししてもよく、またレリーズボタン１１の半押しを解除してからレリーズボタン１１の全押し操作を行ってもよい。
【００２６】
次にＳ１０６においてレリーズボタン１１の全押し操作が行われた場合、前方撮像部１３により被写体の静止画像を撮影する（Ｓ１０７）。次にＳ１１０のフローに移行する。Ｓ１１０ではレリーズボタンの半押し操作が行われた否かを判断する。Ｓ１１０においてレリーズボタン１１の半押しまたは全押し操作が行われると後方撮像部１５による動画撮影が終了される（Ｓ１１１）。またＳ１１０においてレリーズボタン１１の半押しまたは全押し操作が規定時間行われない場合（Ｓ１１２）も後方撮像部１５による動画撮影が終了される。
【００２７】
図３（ａ）のフローチャートを参照して前方撮影部１３に静止画モード、後方撮影部１５に動画モードが選択された場合について説明したが、前方撮影部１３と後方撮影部１５の撮影モードを反転させ、前方撮影部１３に動画モード、後方撮影部１５に静止画モードとしても同様の操作方法により被写体の動画像と撮影者の静止画像を撮影することができる。
【００２８】
図３（ｂ）、図４（ｂ）、図４（ｃ）を参照して前方撮像部１３に動画モード、後方撮像部１５に静止画モードが選択された場合の撮影方法を説明する。
【００２９】
図３（ｂ）に示すように電源ボタン１０によりデジタルカメラ１の電源を入れた（Ｓ２００）後、Ｓ２０１のフローに移行する。
【００３０】
Ｓ２０１では前方撮像部１３と後方撮像部１５のそれぞれの撮影モードを判断する。Ｓ２０１において、前方撮像部１３に動画モード、後方撮像部１５が静止画モードの場合はＳ２０３のフローに移行し、それ以外の撮影モードの場合は別処理に移行する（Ｓ２０２）。
【００３１】
Ｓ２０２において撮影者が表示部１６に写った画像データを確認して構図を決定し、レリーズボタン１１を半押しすると、前方撮像部１３に備えられた第一のＡＦユニット２２により図４（ｂ）に示すように被写体の顔に対してオートフォーカスが実行される（Ｓ２０４）。次に撮影者がレリーズボタン１１を全押しする（Ｓ２０５）と前方撮像部１３により被写体の動画撮影を開始する（Ｓ２０６）。次にＳ２０７のフローに移行する。
【００３２】
Ｓ２０７ではレリーズボタン１１の半押し操作が行われた否かを判断する。Ｓ２０７においてレリーズボタン１１の半押し操作が行われると後方撮像部１５に備えられた第二のＡＦユニット２３により図４（ｃ）に示すように撮影者に対してオートフォーカスが実行され、後方撮像部１５により撮影者の静止画像を撮影する（Ｓ２０８）。Ｓ２０７においてレリーズボタン１１の半押し操作が行われずレリーズボタン１１の全押し操作が行われる（Ｓ２０９）と前方撮像部１３による動画撮影が終了される（Ｓ２１０）。
【００３３】
図３（ｂ）を参照して前方撮影部１３に動画モード、後方撮影部１５に静止画モードが選択された場合について説明したが、前方撮影部１３と後方撮影部１５の撮影モードを反転させ、前方撮影部１３に静止画モード、後方撮影部１５に動画モードとしても同様の操作方法により被写体の静止画像と撮影者の動画像を撮影することができる。上記、撮影方法では一つの動画像に対して複数枚の静止画像を撮影することが可能である。
【００３４】
図３（ｃ）、図４（ａ）を参照して前方撮像部１３、後方撮像部１５共に静止画モードが選択された場合の撮影方法を説明する。
【００３５】
図３（ｃ）に示すように電源ボタン１０によりデジタルカメラ１の電源を入れた（３００）後、Ｓ３０１のフローに移行する。
【００３６】
Ｓ３０１では前方撮像部１３と後方撮像部１５のそれぞれの撮影モードを判断する。Ｓ３０１において、前方撮像部１３、後方撮像部１５が共に静止画モードの場合はＳ３０３のフローに移行し、それ以外の撮影モードの場合は別処理に移行する（Ｓ３０２）。
【００３７】
Ｓ３０３において撮影者が表示部１６に写った画像データを確認して構図を決定しレリーズボタン１１を半押しすると、前方撮像部１３に備えられた第一のＡＦユニット２２により図４（ａ）に示すように撮影者の顔に対してオートフォーカスが実行され（Ｓ３０４）、同時に後方撮像部１５に備えられた第二のＡＦユニット２３により撮影者の顔に対してオートフォーカスが実行される（Ｓ３０５）。
【００３８】
次に撮影者がレリーズボタン１１を全押しする（Ｓ３０６）と前方撮像部１３により被写体の静止画像が撮影され（Ｓ３０７）、同時に後方撮像部１５により撮影者の静止画像が撮影される（Ｓ３０８）。
【００３９】
図３（ｄ）、図４（ａ）を参照して前方撮像部１３、後方撮像部１５共に動画モードが選択された場合の撮影方法を説明する。
【００４０】
図３（ｄ）に示すように電源ボタン１０によりデジタルカメラ１の電源を入れた（Ｓ４００）後、Ｓ４０１のフローに移行する。Ｓ４０１では前方撮像部１３と後方撮像部１５のそれぞれの撮影モードを判断する。Ｓ４０１において、前方撮像部１３、後方撮像部１５が共に静止画モードの場合はＳ４０３のフローに移行し、それ以外の撮影モードの場合は別処理に移行する（Ｓ４０２）。
【００４１】
Ｓ４０３において撮影者が表示部１６に写った画像データを確認して構図を決定しレリーズボタン１１を半押しすると、前方撮像部１３に備えられた第一のＡＦユニット２２により図４（ａ）に示すように被写体の顔に対してオートフォーカスが実行され（Ｓ４０４）、同時に後方撮像部１５に備えられた第二のＡＦユニット２３により撮影者の顔に対してオートフォーカスが実行される（Ｓ４０５）。次に撮影者がレリーズボタン１１を全押しする（Ｓ４０６）と前方撮像部１３により被写体の動画撮影が開始され（Ｓ４０７）、同時に後方撮像部１５により撮影者の動画撮影が開始される（Ｓ４０８）。そして、撮影者によりレリーズボタン１１が全押しされる（Ｓ４０９）と前方撮像部１３による動画撮影が終了され（Ｓ４１０）、同時に後方撮像部１５による動画撮影が終了する（Ｓ４１１）。
【００４２】
以上、前方撮像部１３と後方撮像部１５の各モードにおける操作方法について説明したが、本発明はこれら特定の実施形態に限られるものではなく、この発明の主旨を逸脱しない範囲の様々な形態も本発明に含まれる。
【符号の説明】
【００４３】
１  デジタルカメラ、１０  電源ボタン、１１  レリーズボタン、１２  ズームレバー、
１３  前方撮像部、１４  鏡筒、１５  後方撮像部、１６  表示部、１７  操作ボタン、
１８  ストロボ発光部、２０  ＣＰＵ、２１  メモリ部、２２  第一のＡＦユニット、
２３  第二のＡＦユニット、２４  画像処理部
【図１】
2017028471.tif 000003
【図２】
2017028471.tif 000004
【図３（ａ）】
2017028471.tif 000005
【図３（ｂ）】
2017028471.tif 000006
【図３（ｃ）】
2017028471.tif 000007
【図３（ｄ）】
2017028471.tif 000008
【図４】
2017028471.tif 000009